(57)【特許請求の範囲】
【請求項１】
第１バーナと、第１給排気通路を介して、該第１バーナに燃焼用空気を供給すると共に該第１バーナの燃焼排ガスを排気筒に送出する第１ファンとを有する第１燃焼ユニットと、
第２バーナと、給排気能力が前記第１ファンよりも低く、第２給排気通路を介して、該第２バーナに燃焼用空気を供給すると共に該第２バーナの燃焼排ガスを前記排気筒に送出する第２ファンとを有する第２燃焼ユニットとを、少なくとも含む複数の燃焼ユニットと、
前記複数の燃焼ユニットの燃焼運転を実行する燃焼制御部と、
前記第１ファンの通電量を検出する第１電流センサと、
前記燃焼制御部が前記複数の燃焼ユニットのうちの前記第２燃焼ユニットのみを単独運転させるときに、前記第１ファンを第１所定回転速度で作動させて、該第１所定回転速度での作動時の通電量を検出し、該通電量に基づいて前記排気筒の閉塞度合を検出する排気筒閉塞検出部とを備えたことを特徴とする複合燃焼装置。
【請求項２】
請求項１記載の複合燃焼装置において、
前記第２バーナの点火処理が行われる前に前記排気筒閉塞検出部により検出された前記排気筒の閉塞度合が、第１所定レベル以上であるとき、又は該閉塞度合の前回の前記第２バーナの点火時からの増大度合が第２所定レベル以上であるときに、前記第２バーナの点火を禁止する第１点火禁止部を備えたことを特徴とする複合燃焼装置。
【請求項３】
請求項１又は請求項２記載の複合燃焼装置において、
前記第２ファンの通電量を検出する第２電流センサと、
前記燃焼制御部が前記複数の燃焼ユニットのうちの前記第２燃焼ユニットのみを単独運転させるときに、前記第２ファンを第２所定回転速度で作動させて、該第２所定回転速度での作動時の前記第２ファンの通電量を検出し、該通電量に基づいて前記第２給排気通路の閉塞度合を検出する第２給排気通路閉塞検出手段と
を備えたことを特徴とする複合燃焼装置。
【請求項４】
請求項３記載の複合燃焼装置において、
前記第２バーナの点火処理が行われる前に前記第２給排気通路閉塞検出手段により検出された前記第２給排気通路の閉塞度合が、第３所定レベル以上であるとき、又は該閉塞度合の前回の前記第２バーナの点火時からの増大度合が第４所定レベル以上であるときに、前記第２バーナの点火を禁止する第２点火禁止部を備えたことを特徴とする複合燃焼装置。
【発明の詳細な説明】
【技術分野】
【０００１】
本発明は、バーナとファンを有する複数の燃焼ユニットからの燃焼排ガスを、共通の排気筒に排出する複合燃焼装置に関する。
【背景技術】
【０００２】
従来より、例えば給湯器において、熱交換器を加熱するバーナの給排気通路の閉塞度合を、バーナに燃焼用空気を供給すると共にバーナの燃焼排ガスを排気するファンを、所定回転速度で作動させるときに必要となる通電量の変化に基づいて検出するようにした構成が知られている（例えば、特許文献１参照）。
【０００３】
特許文献１に記載された給湯器では、バーナの点火開始前にファンの通電量の変化により給排気通路の閉塞度合を検出し、給排気通路の閉塞度合が基準値以上になったときに、バーナの点火を禁止するようにしている。
【先行技術文献】
【特許文献】
【０００４】
【特許文献１】特開平８−２４７４５２号公報
【発明の概要】
【発明が解決しようとする課題】
【０００５】
上述したように、ファンの通電量に基づいて給排気通路の閉塞度合を検出する場合、ファンの給排気能力が高いときには閉塞度合の上昇に応じた通電量の低下幅が大きいため、給排気通路の閉塞度合を精度良く検出することができる。しかし、例えば、給湯用のバーナ及びファンと暖房用のバーナ及びファンとを備えた、いわゆる２缶２水タイプの熱源機のように、バーナとファンを有する給湯用の燃焼ユニット及び暖房用の燃焼ユニットからの燃焼排ガスを、共通の排気筒を介して行う複合燃焼装置では、給湯用ファンの給排気能力に比べて暖房用ファンの給排気能力が低いため、暖房単独運転時に、暖房用ファンの通電量に基づいて排気筒の閉塞度合を精度良く検出することが困難であった。
【０００６】
本発明はかかる背景を鑑みてなされたものであり、ファンの給排気能力が異なる複数の燃焼ユニットを備えて、各燃焼ユニットの燃焼排ガスを共通の排気筒から排出し、ファンの給排気能力が低い燃焼ユニットを単独運転させる際にも、排気筒の閉塞度合を精度良く検出できる複合燃焼装置を提供することを目的とする。
【課題を解決するための手段】
【０００７】
本発明は上記目的を達成するためになされたものであり、第１バーナと、第１給排気通路を介して、該第１バーナに燃焼用空気を供給すると共に該第１バーナの燃焼排ガスを排気筒に送出する第１ファンとを有する第１燃焼ユニットと、第２バーナと、給排気能力が前記第１ファンよりも低く、第２給排気通路を介して、該第２バーナに燃焼用空気を供給すると共に該第２バーナの燃焼排ガスを前記排気筒に送出する第２ファンとを有する第２燃焼ユニットとを、少なくとも含む複数の燃焼ユニットと、前記複数の燃焼ユニットの燃焼運転を実行する燃焼制御部と、前記第１ファンの通電量を検出する第１電流センサと、前記燃焼制御部が前記複数の燃焼ユニットのうちの前記第２燃焼ユニットのみを単独運転させるときに、前記第１ファンを第１所定回転速度で作動させて、該第１所定回転速度での作動時の通電量を検出し、該通電量に基づいて前記排気筒の閉塞度合を検出する排気筒閉塞検出部とを備えたことを特徴とする（第１発明）。
【０００８】
第１発明によれば、前記第２燃焼ユニットの前記第２ファンよりも、前記第１燃焼ユニットの前記第１ファンの方が給排気能力が高い。そして、前記排気筒の閉塞度合を検出する場合、給排気能力が高いファンを作動させた方が、閉塞度合の変化に応じたファンへの通電量の変化が大きくなるため、閉塞度合をより精度良く検出することができる。
【０００９】
そこで、第１発明においては、前記第２燃焼ユニットのみの単独運転がなされるときに、前記排気筒閉塞検出部は、前記第２燃焼ユニットの前記第２ファンよりも給排気能力が高い前記第１ファンを前記第１所定回転速度で作動させたときの、前記第１ファンの通電量を検出している。そして、前記排気筒閉塞検出部は、この通電量に基づいて、前記排気筒の閉塞度合を精度良く検出することができる。
【００１０】
また、前記第２バーナの点火処理が行われる前に前記排気筒閉塞検出部により検出された前記排気筒の閉塞度合が、第１所定レベル以上であるとき、又は該閉塞度合の前回の前記第２バーナの点火時からの増大度合が第２所定レベル以上であるときに、前記第２バーナの点火を禁止する第１点火禁止部を備えたことを特徴とする（第２発明）。
【００１１】
第２発明によれば、前記排気筒の閉塞度合が高く、燃焼排ガスの排出が不十分な状態で、前記第２バーナに点火されて前記第２燃料ユニットの運転が実行されることを防止することができる。
【００１２】
また、第１発明又は第２発明において、前記第２ファンの通電量を検出する第２電流センサと、前記燃焼制御部が前記複数の燃焼ユニットのうちの前記第２燃焼ユニットのみを単独運転させるときに、前記第２ファンを第２所定回転速度で作動させて、該第２所定回転速度での作動時の前記第２ファンの通電量を検出し、該通電量に基づいて前記第２給排気通路の閉塞度合を検出する第２給排気通路閉塞検出手段とを備えたことを特徴とする（第３発明）。
【００１３】
第３発明によれば、前記排気筒閉塞検出部による前記排気筒の閉塞度合の検出に加えて、前記第２給排気通路閉塞検出手段による前記第２給排気通路の閉塞度合の検出を行うことにより、前記排気筒の閉塞は生じていないが、前記第２給排気通路の閉塞が生じている状況を検出することができる。そして、この場合には、前記第１ファンを作動させずに前記第２ファンのみを作動させて、前記排気筒及び前記第２給排気通路の閉塞度合を検出するときよりも、前記排気筒の閉塞と前記第２給排気通路の閉塞のいずれであるかを正確に検出することができる。
【００１４】
また、前記第２バーナの点火処理が行われる前に前記第２給排気通路閉塞検出手段により検出された前記第２給排気通路の閉塞度合が、第３所定レベル以上であるとき、又は該閉塞度合の前回の前記第２バーナの点火時からの増大度合が第４所定レベル以上であるときに、前記第２バーナの点火を禁止する第２点火禁止部を備えたことを特徴とする（第４発明）。
【００１５】
第４発明によれば、前記排気筒の閉塞が生じた場合に加えて、前記第２給排気通路の閉塞が生じた場合にも、前記第２バーナの点火を禁止して、燃焼排ガスの排気が不十分な状態で前記第２燃焼ユニットの運転が実行されることを防止することができる。
【図面の簡単な説明】
【００１６】
【図１】複合熱源機の構成図。
【図２】図１に示したコントローラの作動フローチャート。
【図３】ファン補正係数の説明図。
【発明を実施するための形態】
【００１７】
本発明の実施形態について、図１〜図３を参照して説明する。図１を参照して、本実施形態の複合熱源機（本発明の複合燃焼装置に相当する）は、給湯用の第１燃焼ユニット１と、暖房用の第２燃焼ユニット２とを備えている。
【００１８】
第１燃焼ユニット１は、第１燃焼筐１１と、第１燃焼筐１１の下部に配置された第１バーナ１２と、第１燃焼筐１１の上部に配置されて第１バーナ１２により加熱される第１熱交換器１３と、第１給排気通路４１を介して、第１バーナ１２に燃焼用空気を供給すると共に第１バーナ１２の燃焼排ガスを排気筒４に排出する第１ファン１８とにより構成されている。
【００１９】
第１熱交換器１３は、上流側の給水管１４及び下流側の出湯管１５が接続され、出湯管１５の下流端の出湯栓（図示しない）が開栓されて第１熱交換器１３に通水されたときに、第１バーナ１２に点火されて出湯栓から設定温度の湯が出湯される。また、第１給排気通路４１は、第１ファン１８の給気口から排気口４ａに至る通路である。
【００２０】
第２燃焼ユニット２は、第２燃焼筐２１と、第２燃焼筐２１の下部に配置された第２バーナ２２と、第２燃焼筐２１の上部に配置された第２熱交換器２３と、第２給排気通路４２を介して、第２バーナ２２に燃焼用空気を供給すると共に第２バーナ２２の燃焼排ガスを排気筒４に排出する第２ファン２８とにより構成されている。
【００２１】
第２熱交換器２３は、往き管２４及び戻り管２５を介して床暖房機等の温水端末（図示しない）に接続されており、第２熱交換器２３から温水端末に温水を循環供給して暖房を行う。また、第２給排気通路４２は、第２ファン２８の給気口から排気口４ａに至る通路である。
【００２２】
第１燃焼ユニット１の第１バーナ１２には、第１開閉弁１６と第１比例弁１７を介して燃料ガスが供給される。そして、第１開閉弁１６の開閉により第１バーナ１２への燃料ガスの供給と遮断が切替えられ、第１比例弁１７により第１バーナ１２の燃焼量が調節される。
【００２３】
同様に、第２燃焼ユニット２の第２バーナ２２には、第２開閉弁２６と第２比例弁２７を介して燃料ガスが供給される。そして、第２開閉弁２６の開閉により第２バーナ２２への燃料ガスの供給と遮断が切替えられ、第２比例弁２７により第２バーナ２２の燃焼量が調節される。
【００２４】
第１給排気通路４１に排出された第１バーナ１２の燃焼排ガスと、第２給排気通路４２に排出された第２バーナ２２の燃焼排ガスは、排気口４ａに接続された単一の排気筒４を介して別の場所に排出される。
【００２５】
第１開閉弁１６、第１比例弁１７、第１ファン１８、第２開閉弁２６、第２比例弁２７、及び第２ファン２８は、コントローラ５から出力される制御信号により作動が制御される。コントローラ５は、第１燃焼ユニット１の燃焼運転時に、給湯負荷に応じた第１バーナ１２の必要燃焼量を算出し、この必要燃焼量に合わせて第１比例弁１７の開度を調節すると共に、この必要燃焼量に対応する量の燃焼用空気が供給されるように、第１ファン１８の回転速度を制御する。
【００２６】
同様に、コントローラ５は、第２燃焼ユニット２の燃焼運転時に、暖房負荷に応じた第２バーナ２２の必要燃焼量を算出し、この必要燃焼量に合わせて第２比例弁２７の開度を調節すると共に、この必要燃焼量に対応する量の燃焼用空気が供給されるように、第２ファン２８の回転速度を制御する。
【００２７】
ここで、暖房用の第２燃焼ユニット２の第２バーナ２２の加熱能力（例えば、１〜１．５万kcal/h）は、給湯用の第１燃焼ユニット１の第１バーナ１２の加熱能力（例えば、４万kcal/h）よりも低くなっている。また、この加熱能力の違いに応じて、暖房用の第２燃焼ユニット２の第２ファン２８の給排気能力は、給湯用の第１燃焼ユニット１の第１ファン１８の給排気能力よりも低くなっている。
【００２８】
なお、第１燃焼ユニット１と第２燃焼ユニット２の一方のみを燃焼運転させる単独運転時には、一方の燃焼ユニットの燃焼排ガスが、他方の燃焼ユニットに逆流することを防止するため、コントローラ５は、適量の空気が他方の燃焼ユニットに供給されるように、他方の燃焼ユニットのファンも作動させる。
【００２９】
また、コントローラ５には、第１ファン１８の回転速度を検出する第１速度センサ１９、及び第２ファン２８の回転速度を検出する第２速度センサ２９の速度検出信号が入力される。
【００３０】
コントローラ５は、ＣＰＵ、メモリ等により構成された電子ユニットであり、第１ファン１８の通電量を検出する第１電流センサ５１と、第２ファン２８の通電量を検出する第２電流センサ５２とを備えている。
【００３１】
コントローラ５は、メモリに保持された複合熱源機の制御用プログラムをＣＰＵで実行することにより、排気筒４の先端部が大きく塞がれることによる閉塞度合を検出する排気筒閉塞検出部５３、第２給排気通路４２の第２熱交換器２３のフィン詰りや第２ファン２８の羽根詰りによる閉塞度合を検出する第２給排気通路閉塞検出部５４、排気筒４又は第２給排気通路４２の閉塞度合が所定レベル以上となったときに、第１バーナ１２及び第２バーナ２２の点火を禁止する点火禁止部５５（本発明の第１点火禁止部及び第２点火禁止部の機能を含む）、及び、第１燃焼ユニット１と第２燃焼ユニット２の運転を行なう燃焼制御部５６として機能する。
【００３２】
コントローラ５には、複合熱源機を遠隔操作するためのリモコン６が接続されており、コントローラ５は、リモコン６から送信される各種スイッチの操作信号に応じて、第１燃焼ユニット１及び第２燃焼ユニット２の作動を制御する。また、リモコン６は、コントローラ５から送信される状態信号に応じて、複合熱源機の状態を表示部（図示しない）に表示する。
【００３３】
次に、図２に示したフローチャートに従って、第２燃焼ユニット２を単独運転させる場合のコントローラ５の処理について説明する。
【００３４】
図２のＳＴＥＰ１〜ＳＴＥＰ３は燃焼制御部５６の処理である。燃焼制御部５６は、ＳＴＥＰ１でリモコン６から暖房開始の操作信号を受信したときにＳＴＥＰ２に進み、第１ファン１８を作動させる。また、続くＳＴＥＰ３で第２ファン２８を作動させる。
【００３５】
次のＳＴＥＰ４は排気筒閉塞検出部５３による処理である。排気筒閉塞検出部５３は、第１ファン１８を第１所定回転速度で作動させたときの第１電流センサ５１の検出電流の低下割合に基づいて、排気筒４の閉塞度合に対応した補正係数Ｈ1を算出する。
【００３６】
図３（ａ）は第１ファン１８の回転速度（ファン回転速度）と通電電流（ファン電流）との関係を、縦軸をファン電流に設定し、横軸をファン回転速度に設定して示したものである。
【００３７】
図３（ａ）において、８１は排気筒４が閉塞していない場合のファン回転速度−ファン電流特性を示す定常ライン、８２は補正係数１．０におけるファン回転速度−ファン電流特性を示す基準値ライン（補正を行うか否かを判断するための基準値ライン）、８３は補正係数１．１におけるファン回転速度−ファン電流特性を示す基準値ライン（給湯能力を制限するか否かを判断するための基準値ライン）、８４は補正係数１．２におけるファン回転速度−ファン電流特性を示す基準値ライン（給湯を停止するか否かを示す基準値ライン）、８５は補正係数を求めるために実験等により決定されたファン回転速度−ファン電流特性を示す補助値ラインである。
【００３８】
また、第１所定回転速度Ｎ1において、Ｉ1は補助値ライン８５におけるファン電流値、Ｉ2は基準値ライン８２におけるファン電流値、Ｉ0は第１電流センサ５１により検出されたファン電流値、ａはＩ2−Ｉ1、ｂはＩ0−Ｉ1である。そして、排気筒閉塞検出部５３は、補正係数Ｈ1を、以下の式（１）により算出する。
【００３９】
【数１】
0005414648.tif 000002
【００４０】
但し、α：１以下の定数。
【００４１】
図３（ｂ）は、補正係数Ｈ1と排気筒４の閉塞率（本発明の閉塞度合に相当する）との関係を、縦軸を補正係数Ｈ1に設定し横軸を閉塞率に設定して示したものであり、排気筒４の閉塞率が大きくなるに従って補正係数Ｈ1が大きくなっている。そのため、排気筒閉塞検出部５３は、補正係数Ｈ1の大きさにより排気筒４の閉塞度合を検出することができる。
【００４２】
次のＳＴＥＰ５は点火禁止部５５による処理である。点火禁止部５５は、今回算出した補正係数Ｈ1(t)と、前回の暖房運転開始時に算出した補正係数Ｈ1(t-1)との差が、所定の閾値ＴＨ1以上（ＴＨ1≦Ｈ1(t)−Ｈ1(t-1)）であるか否かを判断する。そして、この差が閾値ＴＨ1以上であったときはＳＴＥＰ２０に分岐し、点火禁止部５５はリモコン６により排気筒４の閉塞を報知する。
【００４３】
具体的には、リモコン６の表示部に排気筒４の閉塞が生じていることを報知する表示を行うと共に、ブザーを鳴動させて、使用者に排気筒４の閉塞を認識させる。そして、続くＳＴＥＰ２１で、点火禁止部５５は第２バーナ２２の点火を禁止して暖房運転を禁止し、ＳＴＥＰ９に進んで処理を終了する。これにより、排気筒４が閉塞して燃焼排ガスの排出が不十分になり易い状態で、第２バーナ２２に点火されて暖房運転が開始されることを防止している。なお、このように、排気筒４の閉塞度合に応じて点火禁止部５５が暖房運転を禁止する構成が、本発明の第１点火禁止部に相当する。
【００４４】
このように、第２燃焼ユニット２を単独動作させるときに、第２ファン２８よりも給排気能力が高い第１ファン１８の回転速度と通電量との関係から補正係数Ｈ1を算出することによって、排気筒４の先端部が大きく塞がれることによる閉塞度合を精度良く検出することができる。
【００４５】
一方、ＳＴＥＰ５で、今回算出した補正係数Ｈ1(t)と前回の暖房運転開始時に算出した補正係数Ｈ1(t-1)との差が、閾値ＴＨ1よりも小さいときは、ＳＴＥＰ６に進む。ＳＴＥＰ６は第２給排気通路閉塞検出部５４による処理である。ここでは、第２ファン２８の給排気能力でも検出可能な、第２給排気通路４２の閉塞検知を行う。
【００４６】
第２給排気通路閉塞検出部５４は、第２ファン２８を第２所定回転速度で作動させたときの第２電流センサ５２の検出電流の低下割合に基づいて、第２給排気通路４２の閉塞度合に対応した補正係数Ｈ2を算出する。なお、補正係数Ｈ2の算出は、上述した第１ファン１８の補正係数Ｈ1の算出と同様の処理によるので、ここでは説明を省略する。
【００４７】
続くＳＴＥＰ７は点火禁止部５５による処理である。点火禁止部５５は、今回算出した補正係数Ｈ2(t)と、前回の暖房開始時に算出した補正係数Ｈ2(t-1)との差が、所定の閾値ＴＨ2以上（ＴＨ2≦Ｈ2(t)−Ｈ2(t-1)）であるか否かを判断する。そして、この差が閾値ＴＨ2以上であったときはＳＴＥＰ３０に分岐し、点火禁止部５５はリモコン６により第２給排気通路２３の閉塞を報知する。
【００４８】
具体的には、リモコン６の表示部に第２給排気通路２３の閉塞が生じていることを報知する表示を行うと共に、リモコン６のブザーを鳴動させて、使用者に第２給排気通路４２の閉塞を認識させる。
【００４９】
そして、続くＳＴＥＰ３１で、点火禁止部５５は第２バーナ２２の点火を禁止して暖房運転を禁止し、ＳＴＥＰ９に進んで処理を終了する。これにより、第２給排気通路４２が第２熱交換器２３のフィン詰りや第２ファン２８の羽根詰りにより閉塞して燃焼排ガスの排出が不十分になり易い状態で、第２バーナ２２に点火されて暖房運転が開始されることを防止している。なお、このように、第２給排気通路４２の閉塞度合に応じて点火禁止部５５が暖房運転を禁止する構成が、本発明の第２点火禁止部に相当する。
【００５０】
一方、ＳＴＥＰ７で、今回算出した補正係数Ｈ2(t)と前回の暖房運転開始時に算出した補正係数Ｈ2(t-1)との差が、閾値ＴＨ2よりも小さいときは、ＳＴＥＰ８に進む。ＳＴＥＰ８は燃焼制御部５６による処理であり、燃焼制御部５６は、第２バーナ２２の点火処理を行った後、第２バーナ２２の目標燃焼量に応じて第２比例弁２７の開度を調節すると共に、第２ファン２８の回転速度を調節する。
【００５１】
なお、燃焼制御部５６は、第２バーナ２２の目標燃焼量に対応する第２ファン２８の回転速度に、補正係数Ｈ2を乗じて目標回転速度を算出し、第２速度センサ２９により検出される第２ファン２８の回転速度が目標回転速度となるように、第２ファン２８に対する通電量を制御する。
【００５２】
また、燃焼制御部５６は、第２給排気通路４２から第１給排気通路４１への燃焼排ガスの逆流を防止するために、第１ファン１８を作動させるが、その際に、補正係数Ｈ1を用いて第１ファン１８の目標回転速度を算出する。
【００５３】
なお、本実施の形態では、図２のＳＴＥＰ１〜ＳＴＥＰ２で、第１ファン１８と第２ファン２８を順番に作動させたが、同時に作動させてもよい。
【００５４】
また、本実施の形態では、図２のＳＴＥＰ５で、今回の補正係数Ｈ1(t)と前回の暖房運転開始時に算出された補正係数Ｈ1(t-1)との差が閾値ＴＨ1以上であるか否かを判断して、暖房運転の禁止を決定したが、今回の補正係数Ｈ1(t)が予め設定された判定値以上であるか否かを判断して、暖房運転を禁止してもよい。
【００５５】
同様に、図２のＳＴＥＰ７で、今回の補正係数Ｈ2(t)と前回の暖房運転開始時に算出された補正係数Ｈ2(t-1)との差が閾値ＴＨ2以上であるか否かを判断して、暖房運転を禁止したが、今回の補正係数Ｈ2(t)が予め設定された判定値以上であるか否かを判断して、暖房運転を禁止してもよい。
【００５６】
また、本実施の形態では、第２給排気通路閉塞検出部５４により第２給排気通路４２の閉塞度合を検出し、第２給排気通路４２の閉塞度合が前回の暖房運転開始時から所定レベル以上増大したときに暖房運転を禁止（第２バーナ２２の点火・燃焼を禁止）したが、第２給排気通路４２の閉塞による暖房運転の禁止を行なわない場合であっても、本発明の効果を得ることができる。
【００５７】
また、本実施形態では、給湯用の第１燃焼ユニット１と暖房用の第２燃焼ユニット２を備えた複合熱源機を示したが、３つ以上の燃焼ユニットを備えた複合熱源機に対しても本発明の適用が可能である。この場合は、いずれかの燃焼ユニットを単独運転させるときに、単独運転させる燃焼ユニットのファンよりも給排気能力が高い他の燃焼ユニットのファンを所定回転速度で作動させたときの通電量から、排気筒４の閉塞度合を検出すればよい。
【００５８】
また、本実施形態では、本発明の複合燃焼装置として、熱交換器を有する第１燃焼ユニット１及び第２燃焼ユニット２を備えた複合熱源機を示したが、ファンの送風能力が異なる複数の燃焼ユニットを備えて、各燃焼ユニットの燃焼排ガスを共通の排気筒から排出する複合燃焼装置であれば、本発明の適用が可能である。
【符号の説明】
【００５９】
１…第１燃焼ユニット、２…第２燃焼ユニット、５…コントローラ、６…リモコン、１１…第１燃焼筐、１２…第１バーナ、１３…第１熱交換器、１８…第１ファン、２１…第２燃焼筐、２２…第２バーナ、２３…第２熱交換器、２８…第２ファン、４１…第１給排気通路、４２…第２給排気通路、５１…第１電流センサ、５２…第２電流センサ、５３…排気筒閉塞検出部、５４…第２給排気通路閉塞検出部、５５…点火禁止部、５６…燃焼制御部。
【図１】
0005414648.tif 000003
【図２】
0005414648.tif 000004
【図３】
0005414648.tif 000005